【手続補正書】
【提出日】平成19年4月5日(2007.4.5)
【手続補正１】
【補正対象書類名】明細書
【補正対象項目名】特許請求の範囲
【補正方法】変更
【補正の内容】
【特許請求の範囲】
【請求項１】
Ｔｋｓ１０７，Ｔｋｓ１１３，Ｔｋｓ１１８およびＴｋｓ２０２からなる群より選択されるポリペプチドをコードする，単離され，濃縮され，または精製された核酸分子。
【請求項２】
前記核酸分子が，
（ａ）配列番号５，配列番号６，配列番号７または配列番号８に記載されるアミノ酸配列を含むポリペプチドをコードする；
（ｂ）（ａ）のヌクレオチド配列の相補体である；
（ｃ）高いストリンジェント条件下で（ａ）または（ｂ）のヌクレオチド分子にハイブリダイズし，かつ天然に生ずるポリペプチドをコードする；
（ｄ）アミノ酸残基の以下のセグメントの全部ではないが１またはそれ以上を欠失している点において，配列番号５，配列番号６，配列番号７または配列番号８のアミノ酸配列を含むポリペプチドと異なる：配列番号５の１−１０８２，１０８３−１２５７，１２５８−１２６４，１２６５−１３７２または１３７３−１５１９；配列番号６の１−３８３または３８４−４７６；配列番号７の１−２２７，２２８−３７１または３７２−４３１；または配列番号８の１−６２９または６３０−８３２；
（ｅ）（ｄ）のヌクレオチド配列の相補体である；
（ｆ）以下のアミノ酸残基の少なくとも１つに記載されるアミノ酸配列を含むポリペプチドをコードする：配列番号５の１−１０８２，１０８３−１２５７，１２５８−１２６４，１２６５−１３７２または１３７３−１５１９；配列番号６の１−３８３または３８４−４７６；配列番号７の１−２２７，２２８−３７１または３７２−４３１または配列番号８の１−６２９または６３０−８３２；
（ｇ）（ｆ）のヌクレオチド配列の相補体である；
（ｈ）Ｃ末端ドメイン，Ｎ末端ドメイン，スペーサー領域，プロリンリッチ領域，ＤＨドメイン，ＰＨドメイン，ＳＨ３ドメインおよびＧＴＰａｓｅドメインからなる群より選択されるドメインの全部ではないが１またはそれ以上を欠失している点において，配列番号５，配列番号６，配列番号７または配列番号８に記載されるアミノ酸配列を含むポリペプチドと異なる；または
（ｉ）（ｈ）のヌクレオチド配列の相補体である，
ヌクレオチド配列を含む，請求項１記載の核酸分子。
【請求項３】
宿主細胞において転写を開始するのに有効なベクターまたはプロモーターをさらに含む，請求項１記載の核酸分子。
【請求項４】
前記核酸分子が，哺乳動物から単離され，濃縮され，または精製されたものである，請求項１記載の核酸分子。
【請求項５】
前記哺乳動物がヒトである，請求項４記載の核酸分子。
【請求項６】
試料中においてポリペプチドをコードするヌクレオチド配列を検出する核酸配列を含む核酸プローブであって，前記ポリペプチドが，Ｔｋｓ１０７，Ｔｋｓ１１３，Ｔｋｓ１１８およびＴｋｓ２０２からなる群より選択されることを特徴とする核酸プローブ。
【請求項７】
前記ポリペプチドが，配列番号５，配列番号６，配列番号７または配列番号８に記載されるアミノ酸配列によりコードされる蛋白質のフラグメントである，請求項６記載のプローブ。
【請求項８】
Ｔｋｓ１０７，Ｔｋｓ１１３，Ｔｋｓ１１８およびＴｋｓ２０２からなる群より選択されるポリペプチドをコードする核酸分子を含む組換え細胞。
【請求項９】
前記ポリペプチドが，配列番号５，配列番号６，配列番号７または配列番号８に記載されるアミノ酸配列によりコードされる蛋白質のフラグメントである，請求項８記載の細胞。
【請求項１０】
全長または部分長Ｔｋｓ１０７，Ｔｋｓ１１３，Ｔｋｓ１１８およびＴｋｓ２０２からなる群より選択される，単離され，濃縮され，または精製されたポリペプチド。
【請求項１１】
前記ポリペプチドが，配列番号５，配列番号６，配列番号７または配列番号８に記載されるアミノ酸配列によりコードされる蛋白質のフラグメントである，請求項１０記載のポリペプチド。
【請求項１２】
前記ポリペプチドが，
（ａ）配列番号５，配列番号６，配列番号７または配列番号８に記載されるアミノ酸配列；
（ｂ）配列番号５，配列番号６，配列番号７または配列番号８に記載されるアミノ酸配列，ただし，以下のアミノ酸残基のセグメントの全部ではないが１またはそれ以上を欠失する点において異なる：配列番号５の１−１０８２，１０８３−１２５７，１２５８−１２６４，１２６５−１３７２または１３７３−１５１９；配列番号６の１−３８３または３８４−４７６；配列番号７の１−２２７，２２８−３７１または３７２−４３１または配列番号８の１−６２９または６３０−８３２；
（ｃ）配列番号５，配列番号６，配列番号７または配列番号８に記載されるアミノ酸配列の，以下のアミノ酸残基の少なくとも１つを含むアミノ酸配列：配列番号５の１−１０８２，１０８３−１２５７，１２５８−１２６４，１２６５−１３７２または１３７３−１５１９；配列番号６の１−３８３または３８４−４７６；配列番号７の１−２２７，２２８−３７１または３７２−４３１；または配列番号８の１−６２９または６３０−８３２；または
（ｄ）配列番号５，配列番号６，配列番号７または配列番号８に記載されるアミノ酸配列であって，ただし，Ｃ末端ドメイン，Ｎ−末端ドメイン，スペーサー領域，プロリンリッチ領域，ＤＨドメイン，ＰＨドメイン，ＳＨ３ドメインおよびＧＴＰａｓｅドメインからなる群より選択されるドメインの，全部ではないが１またはそれ以上を欠失する点において異なるアミノ酸配列，
を含む，請求項１０記載のポリペプチド。
【請求項１３】
前記ポリペプチドが，哺乳動物から単離され，精製され，または濃縮されたものである，請求項１０記載のポリペプチド。
【請求項１４】
前記哺乳動物がヒトである，請求項１３記載のポリペプチド。
【請求項１５】
前記ポリペプチドが，Ｔｋｓ１０７，Ｔｋｓ１１３，Ｔｋｓ１１８またはＴｋｓ２０２ポリペプチドである，請求項１０記載のポリペプチド。
【請求項１６】
Ｔｋｓ１０７，Ｔｋｓ１１３，Ｔｋｓ１１８およびＴｋｓ２０２からなる群より選択されるポリペプチドに対して特異的結合親和性を有する抗体または抗体フラグメント。
【請求項１７】
Ｔｋｓ１０７，Ｔｋｓ１１３，Ｔｋｓ１１８およびＴｋｓ２０２からなる群より選択されるポリペプチドに対して特異的結合親和性を有する抗体を産生するハイブリドーマ。
【請求項１８】
ポリペプチド活性を調節する物質を同定する方法であって，
（ａ）Ｔｋｓ１０７，Ｔｋｓ１１３，Ｔｋｓ１１８およびＴｋｓ２０２からなる群より選択されるポリペプチドを試験物質と接触させ；
（ｂ）ポリペプチドの活性を測定し；および
（ｃ）物質が前記ポリペプチドの活性を調節するか否かを判定する，
の各工程を含む方法。
【請求項１９】
ポリペプチドの活性がポリペプチドとＳｒｃとの間の相互作用を含む，
請求項１８記載の方法。
【請求項２０】
細胞において活性を調節する物質を同定する方法であって，
（ａ）ポリペプチドまたはポリペプチドドメインを細胞中で発現させ，ここで，前記ポリペプチドまたはポリペプチドドメインは，Ｔｋｓ１０７，Ｔｋｓ１１３，Ｔｋｓ１１８およびＴｋｓ２０２からなる群より選択され；
（ｂ）試験物質を前記細胞に加え；そして
（ｃ）細胞表現型または前記ポリペプチドまたはポリペプチドドメインと天然の結合パートナーとの間の相互作用の変化をモニターする，
の各工程を含む方法。
【請求項２１】
天然の結合パートナーがＳｒｃである，請求項２０記載の方法。
【請求項２２】
Ｔｋｓ１０７，Ｔｋｓ１１３，Ｔｋｓ１１８およびＴｋｓ２０２からなる群より選択されるポリペプチドの活性を調節する物質を含む、疾病または疾患を治療するための医薬組成物。
【請求項２３】
前記疾病またはまたは疾患が，慢性関節リウマチ，動脈硬化，自己免疫疾患，臓器移植，心筋梗塞，心筋症，発作，腎不全，酸化ストレス関連神経変性性疾患，免疫関連疾病および疾患，心臓血管疾病および癌からなる群より選択される，請求項２２記載の医薬組成物。
【請求項２４】
前記免疫関連疾病および疾患が，慢性関節リウマチ，慢性炎症性大腸疾病，慢性炎症性骨盤疾病，多発性硬化症，喘息，変形性関節症，乾癬，アテローム性動脈硬化症，鼻炎，自己免疫および臓器移植からなる群より選択される，請求項２３記載の医薬組成物。
【請求項２５】
疾病または疾患の診断道具として試料中においてポリペプチドを検出する方法であって，
（ａ）試料を，Ｔｋｓ１０７，Ｔｋｓ１１３，Ｔｋｓ１１８およびＴｋｓ２０２からなる群より選択されるポリペプチドの核酸標的領域にハイブリダイゼーションアッセイ条件下でハイブリダイズする核酸プローブと接触させ，前記プローブは，前記ポリペプチド，そのフラグメント，および前記配列およびフラグメントの相補体をコードする核酸配列を含み；そして
（ｂ）プローブ：標的領域ハイブリッドの存在または量を前記疾病の指標として検出する
の各工程を含む方法。